(57)【要約】【課題】サイドカバーによって刈取搬送部の側面を広範囲に覆って植立穀稈の倒れ込みによる巻き付き等を少なくできると共に、サイドカバーを容易に着脱して刈取搬送部のメンテンナンスを能率良く行うことができるコンバインを提供する。【解決手段】刈取搬送部（８）の既刈り側上部であってサイドカバー（２２）によって覆われた部位に取付部（２３）を設け、該取付部（２３）に支持ステー（２４）の基部を取り付け、該支持ステー（２４）の自由端側をサイドカバー（２２）の後側端部を迂回させて外側方に延出させ、該延出端部に前照灯（２１）を取り付ける。また、穀稈引起装置（１６）に動力を伝達する引起し伝動筒体（３０）にウインカ（２７）を支持させ、該ウインカ（２７）をサイドカバー（２２）の前側上部の面に形成した凹部（２８ａ）または切り欠き部に嵌合状態にして配置する。【選択図】図４
2008206463.tif 000002
【特許請求の範囲】
【請求項１】
刈取搬送部（８）の既刈り側上部であってサイドカバー（２２）によって覆われた部位に取付部（２３）を設け、該取付部（２３）に支持ステー（２４）の基部を左右方向位置調節自在および上下方向角度調節自在に取り付け、該支持ステー（２４）の自由端側を前記サイドカバー（２２）の後側端部を迂回させて外側方に延出させ、該支持ステー（２４）の延出端部に前照灯（２１）を取り付け、前記刈取搬送部（８）の穀稈引起装置（１６）に動力を伝達する引起し伝動筒体（３０）にウインカ（２７）を支持させ、該ウインカ（２７）を前記サイドカバー（２２）の前側上部の面に形成した凹部（２８ａ）または切り欠き部に嵌合状態にして配置したことを特徴とするコンバイン。
【請求項２】
支持部材（２７ａ，３０ａ）の基部を引起し伝動筒体（３０）に取り付け、該支持部材（２７ａ，３０ａ）の自由端側を穀稈引起装置（１６）の背面側から横側端部を迂回するようにして前方へ延出させ、該支持部材（２７ａ，３０ａ）の延出端部にウインカ（２７）を取り付けたことを特徴とする請求項１記載のコンバイン。
【発明の詳細な説明】
【技術分野】
【０００１】
この発明は、コンバインに関するものである。
【背景技術】
【０００２】
従来より、コンバインにおいて、刈取搬送部の既刈り側上部であってサイドカバーによって覆われた部位に取付部を設け、該取付部に支持ステーの基部を固定し、該支持ステーの自由端側を外側方に延出させ、該支持ステーの延出端部に前照灯を取り付けたものは公知である（特許文献１）。
【０００３】
また、従来のコンバインにおいて、ウインカを、サイドカバーの外側面に固定したものがある。
【特許文献１】特開２０００−２０９９３４号公報
【発明の開示】
【発明が解決しようとする課題】
【０００４】
上述の従来のコンバインにおいては、サイドカバーによって覆われた部分から外側方へ支持ステーを延出させる構成であるため、サイドカバーの後側部分を切り欠くか、サイドカバーに孔を開けなければならない。
【０００５】
このようにサイドカバーの後側部分を切り欠いた場合には、このサイドカバーによって覆われる範囲が狭くなり、未刈り穀稈が刈取搬送部の側面から侵入して巻き付いたり、刈取搬送部から発生する塵埃が外部へ飛散しやすくなる問題がある。
【０００６】
また、サイドカバーに孔を開けて支持ステーを通した場合、このサイドカバーを容易に着脱することができなくなり、刈取搬送部のメンテナンンスを容易に行うことができなくなってしまう。
【０００７】
更に、このサイドカバーにウインカを固定した構成の場合、機体側からこのウインカへの電線を配索せねばならないために、このサイドカバーの着脱に更に手間が掛かり、刈取搬送部のメンテナンスの能率が低下する欠点がある。
【課題を解決するための手段】
【０００８】
この発明は、上述の如き課題を解決するために、以下のような技術的手段を講じる。
即ち、請求項１の発明は、刈取搬送部（８）の既刈り側上部であってサイドカバー（２２）によって覆われた部位に取付部（２３）を設け、該取付部（２３）に支持ステー（２４）の基部を左右方向位置調節自在および上下方向角度調節自在に取り付け、該支持ステー（２４）の自由端側を前記サイドカバー（２２）の後側端部を迂回させて外側方に延出させ、該支持ステー（２４）の延出端部に前照灯（２１）を取り付け、前記刈取搬送部（８）の穀稈引起装置（１６）に動力を伝達する引起し伝動筒体（３０）にウインカ（２７）を支持させ、該ウインカ（２７）を前記サイドカバー（２２）の前側上部の面に形成した凹部（２８ａ）または切り欠き部に嵌合状態にして配置したことを特徴とするコンバインとしたものである。
【０００９】
これにより、前照灯２１の支持ステー２４がサイドカバー２２の後側端部を迂回して外側方に延出するために、この支持ステー２４がサイドカバー２２の着脱の邪魔になりにくく、サイドカバー２２によって刈取搬送部８の側面を広く覆うことができるようになる。また、サイドカバー２２を容易に着脱できるようになる。
【００１０】
また、請求項２記載の発明は、支持部材（２７ａ，３０ａ）の基部を引起し伝動筒体（３０）に取り付け、該支持部材（２７ａ，３０ａ）の自由端側を穀稈引起装置（１６）の背面側から横側端部を迂回するようにして前方へ延出させ、該支持部材（２７ａ，３０ａ）の延出端部にウインカ（２７）を取り付けたことを特徴とする請求項１記載のコンバインとしたものである。
【００１１】
これにより、更に、ウインカ２７の支持部材２７ａ，３０ａを穀稈引起装置１６の背面側から横側端部を迂回させて前方に延出させ、この延出端部にウインカ２７を取り付けるために、この支持部材２７ａ，３０ａがサイドカバー２２の着脱の邪魔になりにくく、ウインカをサイドカバーに固定する場合に比べて、該サイドカバー２２の着脱を容易に行うことができるようになる。
【発明の効果】
【００１２】
請求項１記載の発明によると、サイドカバー２２によって刈取搬送部８の側面を広範囲に覆って植立穀稈の倒れ込みによる巻き付き等を少なくできるものでありながら、サイドカバー２２を容易に着脱してメンテンナンスを能率良く行うことができる。また、前照灯２１の左右方向位置及び上下方向角度を自在に調節することができ、作業条件適応性を高めることができる。
【００１３】
また、請求項２記載の発明によると、上記請求項１記載の発明の効果に加え、刈取搬送部８にウインカ２７を備えた構成としても、サイドカバー２２の着脱を容易に行うことができ、メンテナンスの能率を向上させることができる。
【発明を実施するための最良の形態】
【００１４】
以下、図面に示すこの発明の実施の形態について説明する。
まず、図１に基づき本発明を備えたコンバインの全体構成について説明する。図１にはコンバインの側面図、図２にはその平面図、図３にはその正面図が図示されている。
【００１５】
コンバイン１の走行車体２の下方には左右走行クローラ３，３を配設し、走行車体２上には、右側前部に座席付きの操縦部４を、その後方にはエンジン（図示省略）及び穀粒収納用のグレンタンク５を配設し、走行車体１の左側部には脱穀選別部６を搭載し、脱穀選別部６及びグレンタンク５の後方に排稾処理装置７を設け、走行車体２の前側部には刈取搬送部８を昇降自在に設けている。
【００１６】
また、エンジンの回転動力を無段変速装置（図示省略）、走行伝動装置（図示省略）、作業伝動装置（図示省略）を経由して、走行クローラ３，３、刈取搬送部８の駆動部、脱穀選別部６のフィードチエンや扱胴等の駆動部、排出オーガー９等の駆動部に伝達するように構成している。
【００１７】
また、前記作業伝動経路には刈取クラッチ（図示省略）及び脱穀クラッチ（図示省略）を設けて、刈取搬送部８及び脱穀選別部６への動力伝達を断続するように構成し、刈取・脱穀クラッチレバー（図示省略）により刈取クラッチ・脱穀クラッチ入り状態、刈取クラッチ・脱穀クラッチ切り状態、刈取クラッチ切りで脱穀クラッチ入り状態に操作できるように構成している。また、脱穀選別部６には穀稈搬送用のフィードチエン１０を設け、フィードチエンレバー（図示省略）により、フィードチエン１０を高速駆動したり、低速駆動できるように構成している。
【００１８】
次に、図３及び図４に基づき刈取搬送部８への前照灯２１の取付構成について説明する。
刈取搬送部８の刈取フレーム１１の前側端部に、刈取ケース１２を左右方向に沿うように設け、この刈取ケース１２から前方へ突設するように左右刈刃フレーム１３，…を設け、刈刃フレーム１３，１３の前側端部に刈刃装置１４を左右方向に沿うように取り付け、これら刈刃フレーム１３，…から前方に複数の分草杆１５，…を突設し、分草杆１５，…の前側端部と刈取フレーム１１の上側端部とにより、穀稈引越装置１６の引越しケース１６ａを支持し、分草杆１５，…の前側に分草板１５ａ，…を取り付けている。
【００１９】
また、刈取フレーム１１における操縦部４の前方の右側上部には、前照灯２１を配設している。刈取フレーム１１の右側端部から所定間隔右側に右側サイドカバー（サイドカバー）２２を配設して右側方を覆い、右側サイドカバー２２の所定間隔右側に操縦部４の右側端部４ａの前後方向延長線が位置するように構成している。刈取フレーム１１に右側上部に延出するように取り付けた取付ステー（取付部）２３に、支持ステー２４を介して前照灯２１を取り付けている。
【００２０】
この支持ステー２４は右側サイドカバー２２の後側端を後方に迂回するようにして右側方に延出し、その先端部に前照灯２１を支持し、前照灯２１を平面視で右側サイドカバー２２の右側で且つ操縦部４の右側端部４ａの前後方向延長線より内側に位置させている。そして、取付ステー２３の先端部に支持ステー２４の基部を取り付けるにあたり、正面視及び平面視で左右方向に沿う取付ボルト・ナット２５により、左右方向に調節自在に取り付けると共に、前照灯２１を取付ボルト・ナット２５のボルト２５ａの軸心回りに回動調節自在に支持している。
【００２１】
前記構成によると、夜間の刈取作業や、路上走行の照射方向に合わせて前照灯２１の上下回動調節することができる。また、刈取搬送部８の右側を覆う右側サイドカバー２２の後側端を後方に迂回するようにして支持ステー２４を介して前照灯２１を支持しているので、刈取搬送部８から前照灯２１に飛散する塵埃類を抑制することができ、また、前照灯２１を取り付けたままの状態で右側サイドカバー２２を取り外すことができ、刈取搬送部８のメンテナンスが容易となる。
【００２２】
次に、図５及び図６に基づき刈取搬送部８への左側ウインカ２７の取付構成について説明する。
分草杆１５，…の前側端部と刈取フレーム１１の上側端部の間に、穀稈引越装置１６の引越しケース１６ａを支持し、左側端部の引越しケース１６ａの左側方に所定空間を介して左側サイドカバー２８設けている。左側サイドカバー２８の上部に凹部２８ａを設け、この凹部２８ａに前方用の左側ウインカ２７を嵌合装着し、左側ウインカ２７のレンズ面を正面前方を向くように構成している。
【００２３】
また、引越しケース１６ａに動力を伝達する引越し伝動筒体３０にブラケット３０ａを設け、左側ウインカ２７の裏面側に取付ステー２７ａを取り付け、取付ステー２７ａの基部側に取付面２７ｂを設け、ブラケット３０ａと左側ウインカ２７側の取付面２７ｂを、左右方向に沿う２本のボルト・ナット３１ａ，３１ｂによりレンズ面の傾斜角度を上下調節自在で且つレンズ面を前後調節自在に取り付けている。上記取付ステー２７ａとブラケット３０ａとを、支持部材と総称する。
【００２４】
前記構成によると、機体幅を所定幅に保ちながら、すっきりと左側ウインカ２７を取り付けることができる。また、左側ウインカ２７の取付ステー２７ａの取付面２７ｂとブラケット３０ａとの取付箇所一箇所で、レンズ面の傾斜角度や左側サイドカバー２８の凹部２８ａとの嵌合状態を微調節することができて、組立て作業やメンテナンス作業が容易となり、刈取搬送部８が昇降しても左側ウインカ２７のレンズ面を正面前方に向けることができ、点滅状態を確実に確認することができる。
【００２５】
次に、図７に基づき刈取搬送部８のホーン３３の取付構成について説明する。
分草杆１５，…の前側端部と刈取フレーム１１の上側端部の間に、穀稈引越装置１６の引越しケース１６ａ、…を支持し、引越しケース１６ａ，…の上側端部を左右方向の引越し伝動ケース３４により連結している。右側端部の引越しケース１６ａの上側端部には、ブラケット３３ａを介してホーン３３を取り付け、引越し伝動ケース３４及びホーン３３の上方を引越しカバー３５により被覆し、右側端部の引越しケース１６ａの右側部を右側サイドカバー２２により被覆している。なお、引越しカバー３５のホーン３３の前側対向部にホーンスリット３５ａを設けている。
【００２６】
前記構成によると、刈取搬送部８の右側端部にホーン３３を設けているので、右側サイドカバー２２を外した状態で刈取搬送部８のメンテナンスやホーン３３の角度調整をすることができ、また、ホーン３３の前方に障害物がないので音量を確保でき、ホーン３３への塵埃類の付着を少なくすることができる。
【００２７】
また、図８に示すように、引越し伝動ケース３４の右側端部にブラケット３３ａを介してホーン３３を取り付けても、右側サイドカバー２２を外した状態でメンテナンスやホーン３３の角度調整をすることができ、また、ホーン３３を剛体の引越し伝動ケース３４に取り付けることにより、ホーン３３のビビリが軽減し音量を確保することができる。
【００２８】
なお、刈取搬送部８の上昇時に、ホーン３３が正面前方を向くように角度調節すると、走行中にホーン３３の音量が確保され安全である。
次に、図９及び図１０に基づき操縦部４について説明する。
【００２９】
操縦部４の後側部には操縦席４１を、前側部にはフロント操作ボックス４２を、前後方向中間部にはフロア４３をそれぞれ設けている。そして、フロア４３の左側端部には駐車ブレーキぺダル４４を、中央部には掻込ぺダル４５をそれぞれ設け、フロア４３の前側端部には足載せ台４６を設けている。
【００３０】
そして、この足載せ台４６には、駐車ブレーキぺダル４４、掻込ぺダル４５が踏込み操作時に嵌合する凹部４６ａ，４６ａを設けている。また、フロア４３の左右中央部に設けた掻込ぺダル４５の踏込み開始位置を、フロア４３の左側端部に設けた駐車ブレーキぺダル４４の踏込み開始位置より前方に位置させて、フロア４３の中央部を広くしている。
【００３１】
なお、掻込ぺダル４５は、走行伝動ケース４７内の走行伝動装置４７ａに設けた走行ブレーキ装置４７ｂ、及び、左右サイドクラッチ４７Ｌ，４７Ｒに連動ワイヤ４７ｃ，４７ｃを介して連繋されていて、掻込ぺダル４５の踏込み操作により、左右サイドクラッチ４７Ｌ，４７Ｒを切り作動すると共に、走行ブレーキ装置４７ｂを制動して左右走行クローラ３，３を停止する。しかして、コンバイン１の走行を停止した状態で、刈取搬送部８へ動力を伝達し、穀稈の掻込、切断、搬送をすることができるように構成している。
【００３２】
前記構成によると、駐車ブレーキぺダル４４及び掻込ぺダル４５の踏込み移動量を大きくしながら、ぺダル４４，４５を前側に配置してフロア４３を広くすることができ、オペレータの着席姿勢、起立姿勢での操作が容易となる。
【００３３】
次に、図１１に基づき防塵カバー４８の開閉構成について説明する。
刈取搬送部８の穀稈搬送装置で搬送した穀稈を脱穀選別部６のフィードチエン１０に引き継ぐように構成し、刈取搬送部８と脱穀選別部６との引継ぎ部上方を防塵カバー４８により被覆している。防塵カバー４８を、フレーム部４８ａに固定状態で支持されている前側カバー部４８ｂと、フレーム部４８ａに左右方向の軸４８ｄ回りに回動自在に軸支されている後側カバー部４８ｃにより構成している。そして、フレーム部４８ａに設けた回動ギヤ４９、車体フレームに設けたモータ５０、モータ５０の駆動ギヤ５０ｇとにより、後側カバー４８ｃを開閉自可能構成している。
【００３４】
そして、モータ５０を開放回動及び閉鎖回動するスイッチ５１ａを操縦部４に設けると共に、防塵カバー４８の後側カバー４８ｃの左側板にもスイッチ５１ｂを設けている。なお、刈取搬送部８の後側下部にスイッチ５１ｃを設け、足て操作できるように構成してもよい。前記構成によると、操縦部４及び防塵カバー４８の近傍の双方から楽に防塵カバー４８を開閉することができる。
【００３５】
次に、図１２乃至図１４に基づき刈取搬送部８の上昇時の刈取クラッチ切り構成について説明する。
機体フレーム５６の前側部には左右方向の刈取伝動軸５７を軸架し、機体フレーム５６には刈取搬送部８の刈取後側フレーム８ａ後部を刈取伝動軸５７回りに回動自在に支持している。また、エンジンからの動力を刈取ベルト伝動装置５８を経由して刈取伝動軸５７に伝達し、刈取伝動軸５７から刈取後側フレーム８ａ内の刈取伝動装置（図示省略）を経由して、刈取搬送部８の各部を駆動するように構成している
また、刈取クラッチ５９のアーム部５９ａには連動棒６０を左右方向に突出するように取り付け、この連動棒６０の先端部を刈取後側フレーム８ａの上方に配置し、刈取後側フレーム８ａが上方に回動し連動棒６０を上方に回動すると、刈取クラッチ５９が切り作動し、また、刈取後側フレーム８ａを下方に回動すると、バネ６１により復帰回動し刈取クラッチ５９が入りになるように構成している。
【００３６】
前記構成によると、電動モータやセンサを省略しながら、刈取搬送部８の昇降に関連した取クラッチ５９の自動入切装置を安価に構成することができる。
また、図１４に示すように構成してもよい。刈取クラッチ５９のアーム部５９ａに連動棒６０を左右方向に移動自在に支持し、操縦部４の操作レバー、連動ワイヤ６２を介して、連動棒６０を左右方向に移動させて、連動棒６０の先端部が刈取搬送部８の刈取後側フレーム８ａの上方に位置する連繋状態に移動したり、あるいは、上方から退避した非連繋状態に切り替え可能に構成する。なお、６３は復帰用のバネである。前記構成によると、刈取クラッチ５９の自動入切状態及び自動入切の解除状態に容易に切り替えることができる。
【図面の簡単な説明】
【００３７】
【図１】コンバインの側面図
【図２】コンバインの平面図
【図３】コンバインの正面図
【図４】（Ａ）刈取搬送部の側面図          （Ｂ）前照灯を右側に調節した平面図          （Ｃ）前照灯を左側に調節した平面図          （Ｄ）前照灯を側面図
【図５】（Ａ）刈取搬送部の正面図          （Ｂ）刈取搬送部の側面図          （Ｃ）サイドカバーの正面図
【図６】（Ａ）前照灯の側面図          （Ｂ）前照灯の背面図
【図７】刈取搬送部の正面図、側面図
【図８】刈取搬送部の正面図、側面図
【図９】操縦部の側面図、走行伝動ケースの切断背面図、背面図
【図１０】操縦部の平面図、走行伝動ケースの側面図
【図１１】防塵カバーの側面図、平面図
【図１２】機体前側部の側面図
【図１３】刈取搬送部のフレームの切断正面図
【図１４】刈取搬送部のフレームの切断正面図
【符号の説明】
【００３８】
８    刈取搬送部
１６    穀稈引起装置
２１    前照灯
２２    右側サイドカバー（サイドカバー）
２３    取付ステー（取付部）
２４    支持ステー
２７    ウインカ
２７ａ  取付ステー（支持部材）
２８ａ  凹部
３０    引起し伝動筒体
３０ａ  ブラケット（支持部材）
【図１】
2008206463.tif 000003
【図２】
2008206463.tif 000004
【図３】
2008206463.tif 000005
【図４】
2008206463.tif 000006
【図５】
2008206463.tif 000007
【図６】
2008206463.tif 000008
【図７】
2008206463.tif 000009
【図８】
2008206463.tif 000010
【図９】
2008206463.tif 000011
【図１０】
2008206463.tif 000012
【図１１】
2008206463.tif 000013
【図１２】
2008206463.tif 000014
【図１３】
2008206463.tif 000015
【図１４】
2008206463.tif 000016